(57)【要約】      （修正有）【課題】Ｘ、Ｙの傾斜磁場コイルと各々のシールドコイルの導体の一部を接続する接続部が互いに交錯、干渉しないＭＲＩ装置用アクティブシールド型傾斜磁場コイルを提供する。【解決手段】Ｘ軸主傾斜磁場コイルとシールドコイルのそれぞれの外周部に設けられＸ軸主傾斜磁場コイルとＸ軸シールドコイルのパターン導体の一部を相互に接続する複数の接続導体端子（Ｐ1〜Ｐｎ）の中Ｙ軸から見て最も遠い接続導体端子（Ｐｎ）の位置はＹ軸から計って４５°−γ／２を越えない位置に設けられており（γはＸ軸およびＹ軸傾斜磁場コイルの周方向絶縁距離に相当する角度）またＹ軸主傾斜磁場コイルとシールドコイルのそれぞれの外周部に設けられＹ軸主傾斜磁場コイルとシールドコイルのパターン導体の一部を相互に接続する複数の接続導体端子（Ｐ1〜Ｐｎ）の中Ｘ軸から見て最も遠い接続導体端子（Ｐｎ）の位置はＸ軸から計って４５°−γ／２を越えない位置に設けられる。【選択図】  図２
2008093003.tif 000002
【特許請求の範囲】
【請求項１】
静磁場発生源によって生成される均一磁場領域に隣接して配設されるＸ軸主傾斜磁場コイルおよびＸ軸シールド傾斜磁場コイルから構成されるＸ軸傾斜磁場コイルおよびＸ軸主傾斜磁場コイルの外側あるいは内側に配設されるＹ軸主傾斜磁場コイルおよびＸ軸シールド傾斜磁場コイルの外側あるいは内側に配設されるＹ軸シールド傾斜磁場コイルから構成されるＹ軸傾斜磁場コイルを有する磁気共鳴イメージング装置用アクティブシールド型傾斜磁場コイルにおいて、Ｘ軸主傾斜磁場コイルおよびＸ軸シールド傾斜磁場コイルのそれぞれの外周部に設けられＸ軸主傾斜磁場コイルおよびＸ軸シールド傾斜磁場コイルのパターン導体の一部を相互に接続する複数の接続導体端子の中Ｙ軸から見て最も遠い接続導体端子の位置はＹ軸から計って４５°−γ／２を越えない位置に設けられており、ここでγはＸ軸およびＹ軸傾斜磁場コイルの周方向絶縁距離に相当する角度、またＹ軸主傾斜磁場コイルおよびＹ軸シールド傾斜磁場コイルのそれぞれの外周部に設けられＹ軸主傾斜磁場コイルおよびＹ軸シールド傾斜磁場コイルのパターン導体の一部を相互に接続する複数の接続導体端子の中Ｘ軸から見て最も遠い接続導体端子の位置はＸ軸から計って４５°−γ／２を越えない位置に設けられていることを特徴とする磁気共鳴イメージング装置用アクティブシールド型傾斜磁場コイル。
【請求項２】
Ｘ軸主傾斜磁場コイル上に積層されるＹ軸主傾斜磁場コイルの導体パターンがＸ軸主傾斜磁場コイルの外周部に設けられた複数の接続導体端子を越えて拡がっている場合には下側のＸ軸主傾斜磁場コイルの外周部に設けられた複数の接続導体端子に対応する部分の導体パターン間に貫通スリットを設け、Ｘ軸主傾斜磁場コイルの外周部に設けられた複数の接線導体端子とそれに対応して設けられたＸ軸シールド傾斜磁場コイルの外周部に設けられた複数の接続導体端子との接続を可能としたことを特徴とする請求項１に記載の磁気共鳴イメージング装置用アクティブシールド型傾斜磁場コイル。
【請求項３】
請求項１あるいは２記載の磁気共鳴イメージング装置用アクティブシールド型傾斜磁場コイルを備えた磁気共鳴イメージング装置。
【発明の詳細な説明】
【技術分野】
【０００１】
本発明は、磁気共鳴イメージング装置（以下ＭＲＩ装置）用アクティブシールド型傾斜磁気コイルの改良に関する。
【背景技術】
【０００２】
互いに直交する３つの方向、Ｘ，Ｙ，Ｚ方向に傾斜させた磁場を発生させるためのＸ、Ｙ、Ｚ３つのコイルから構成される傾斜磁場コイルが駆動されると、その近傍の導電体に渦電流を誘起し、この誘起された渦電流によってそれぞれのコイルに加えられる矩形波に歪みが生じ、得られるＭＲＩ像の画質を劣化するという問題があった。
【０００３】
これを防ぐため、Ｘ，Ｙ，Ｚ３方向の傾斜磁場コイルのそれぞれを均一静磁場領域に隣接して配設される主傾斜磁場コイルとその外側に配設され主コイルが発生する磁場でその外側に洩れる磁場をキャンセルするシールド傾斜磁場コイルから構成するアクティブシールド型傾斜磁場コイルが広く採用されている。
【０００４】
しかし、このアクティブシールド型傾斜磁場コイルは、シールド傾斜磁場コイルの無い従来の傾斜磁場コイルに比べると面電流密度が著しく高く、高い熱負荷に曝されるという問題があった。
【０００５】
上記のような問題を解決するため、例えば、特許文献１では、Ｘ，Ｙ軸方向のそれぞれの主およびシールド傾斜磁場コイルのコイル導体の一部を仮想の楕円錐台の側面（錐面）を介して電気的に接続することによって電流経路を一部共有することによって、アクティブシールド型傾斜磁場コイルにおける上記のような高い面電流密度を低減することを提案している。
【０００６】
しかし、特許文献１に開示されたアクティブシールド型傾斜磁場コイルにおいて、Ｘ軸主傾斜磁場コイルとＹ軸主傾斜磁場コイルを所定の位置に積層し、さらにそれらの上にＸ軸シールド傾斜磁場コイル、Ｙ軸シールド傾斜磁場コイルをそれぞれ積層し、Ｘ軸主傾斜磁場コイルとＸ軸シールド傾斜磁場コイルの導体の一部およびＹ軸主傾斜磁場コイルとＹ軸シールド傾斜磁場コイルの導体の一部を楕円錐台の側面を介して接続しようとすると、Ｘ軸傾斜磁場コイルの接続部の一部とＹ軸傾斜磁場コイルの接続部の一部が交錯、干渉したりまたＸ、Ｙ軸傾斜磁場コイルのコイルパターンによっては接続不可能な場合も生じ、所望のコイル構造を実現出来ないという問題があった。
【０００７】
さらに、近年のＭＲＩ装置に対する、高画質化および高機能化の要求により、傾斜磁場コイル用の電源電圧は、高電圧になる傾向にあり、このためＸ軸主およびシールド傾斜磁場コイルとＹ軸主およびシールド傾斜磁場コイル間には、撮像中１〜３ｋVの電圧が印加されており、長期に亘る信頼性を含めた絶縁性能を確保するためには、両傾斜磁場コイル間の絶縁距離を十分に確保出来る絶縁構造が要求されている。
【特許文献１】特開平８−３８４５８
【発明の開示】
【発明が解決しようとする課題】
【０００８】
本発明の目的は、Ｘ軸傾斜磁場コイルを構成するＸ軸主およびシールド傾斜磁場コイルのコイル導体の一部を接続する接続部およびＹ軸傾斜磁場コイルを構成するＹ軸主およびシールド傾斜磁場コイルのコイル導体の一部を接続する接続部が互いに交錯、干渉することのないさらにＸ，Ｙ軸傾斜磁場コイルのコイルパターンにかかわらずそれぞれの主およびシールド傾斜磁場コイル間に十分な絶縁距離が確保され長期に亘る信頼性を含めた高い絶縁性能を備えたＭＲＩ装置用アクティブシールド型傾斜磁場コイルを提供することである。
【課題を解決するための手段】
【０００９】
静磁場発生源によって生成される均一磁場領域に隣接して配設されるＸ軸主傾斜磁場コイルおよびＸ軸シールド傾斜磁場コイルから構成されるＸ軸傾斜磁場コイルおよびＸ軸主傾斜磁場コイルの外側あるいは内側に配設されるＹ軸主傾斜磁場コイルおよびＸ軸シールド傾斜磁場コイルの外側あるいは内側に配設されるＹ軸シールド傾斜磁場コイルから構成されＹ軸傾斜磁場コイルを有するＭＲＩ装置用アクティブシールド型傾斜磁場コイルにおいて、本発明はＸ軸主傾斜磁場コイルおよびＸ軸シールド傾斜磁場コイルのそれぞれの外周部に設けられＸ軸主傾斜磁場コイルおよびＸ軸シールド傾斜磁場コイルのパターン導体の一部を相互いに接続する複数の接続導体端子の中Ｙ軸から見て最も遠い接続導体端子の位置はＹ軸から計って４５°−γ／２を超えない位置に設けられており、ここでγはＸ軸およびＹ軸傾斜磁場コイルの周方向絶縁距離に相当する角度、またＹ軸主傾斜磁場コイルおよびＹ軸シールド傾斜磁場コイルのそれぞれの外周部に設けられＹ軸主傾斜磁場コイルおよびＹ軸シールド傾斜磁場コイルのパターン導体の一部を相互に接続する複数の接続導体端子の中Ｘ軸から見て最も遠い接続導体端子の位置はＸ軸から計って４５°−γ／２を越えない位置に設けられていることを特徴とする。
【００１０】
さらに本発明は、Ｘ軸主傾斜磁場コイル上に積層されるＹ軸主傾斜磁場コイルの導体パターンがＸ軸主傾斜磁場コイルの外周部に設けられた複数の接続導体端子を越えて拡がっている場合には下側のＸ軸主傾斜磁場コイルの外周部に設けられた複数の接続導体端子に対応する部分の導体パターン間に貫通スリットを設け、Ｘ軸主傾斜磁場コイルの外周部に設けられた複数の接線導体端子とそれに対応して設けられたＸ軸シールド傾斜磁場コイルの外周部に設けられた複数の接続導体端子との接続を可能としたことを特徴とする。
【発明を実施するための最良の形態】
【００１１】
以下、本発明について、発明の実施の形態（実施例）と共に図面を参照して詳細に説明する。なお、発明の実施の形態を説明するための全図において、同一機能を有するものは同一符号を付け、その繰り返しの説明は省略する。
【実施例１】
【００１２】
図１に、本発明が適用される垂直静磁場型ＭＲＩ装置を示す。ＭＲＩ装置の構成部分として、静磁場発生装置１と、傾斜磁場コイル２と、高周波磁場コイル３と、ベッド４がある。静磁場発生装置１は、対向して配置され、均一磁場領域５を形成する。図示せぬ被検体は、前記均一磁場領域５に配置され、ベッド４上に横たわっている。傾斜磁場コイル２は、前記均一磁場領域５を挟んで、対向配置され、前記静磁場発生装置１と均一磁場領域５との間に固定される。高周波磁場コイル３は、前記均一磁場領域５を挟んで、対向配置され、前記均一磁場領域５と前記傾斜コイル２の間に固定される。
【００１３】
本発明のアクティブシールド型傾斜磁場コイル２は、Ｘ軸方向に磁場を発生させるＸ軸傾斜磁場コイルと、Ｙ軸方向に磁場を発生させるＹ軸傾斜磁場コイルと、Ｚ軸方向に磁場を発生させるＺ軸傾斜磁場コイルがあり、Ｘ軸傾斜磁場コイルとＹ軸傾斜磁場コイルはほぼ同形状で、Ｙ軸傾斜磁場コイルはＸ軸傾斜磁場コイルをＺ軸中心に９０度回転して固定される。さらに各軸の傾斜磁場コイルは、それぞれ主として傾斜磁場を発生させる主傾斜磁場コイル６と、主傾斜磁場コイル６が傾斜磁場コイル２の外側に発生する磁場をキャンセルする磁場を発生するシールド傾斜磁場コイル７から構成される。
【００１４】
図２は、図１の上側の傾斜磁場コイル２に適用される本発明アクティブシールド型傾斜磁場コイルの本実施例による構成を模式的に分解斜視図で示したもので、下側の傾斜磁場コイル２には図示例を軸対称に反転したもう一方のアクティブシールド型傾斜磁場コイルが適用される。
【００１５】
図３にＸ軸主傾斜磁場コイル６のパターンを、図４にＸ軸シールド傾斜磁場コイル７のパターンを、図５にこれらコイルパターンを配置する仮想の平面および曲面を示す。図５において、第１面８はＸ軸主傾斜磁場コイルの平面、第２面９はＸ軸シールド傾斜磁場コイルの平面、第３面１０は第１面８と第２面９間の両方のコイルパターンエッジ間を繋げることができる曲面を示す。第１面８および第２面９は概円形状であり、本実施例では第１面８の外径Ｒ１は第２面９の外径Ｒ２より大きい。図３および図４に示すように、第１面８にＸ軸主傾斜磁場コイルのパターンがあり、Ｘ軸シールド傾斜磁場コイルのパターンは第２面９にあり、Ｘ軸主およびシールド傾斜磁場コイルをつなぐ導体は第３面１０に沿って配置されている。Ｘ軸主およびシールド傾斜磁場コイルのパターン導体を接続する個所はn個であり、第１面８上のパターンと第２面９上のパターンが交わるパターン接続個所をＰ1〜Ｐnとする。
【００１６】
なお、図示の例では両パターン導体は、接続個所無しで、第３面１０上に配設された渡り導体を介してスムースに接続されているように描かれている。なおまた、図３、４中に描かれている各パターン曲線（実線）は隣接する銅板等のパターン導体間の絶縁材に相当する。
【００１７】
図６にＸ軸主傾斜磁場コイル６のコイル形状を、図７にＸ軸シールド傾斜磁場コイル７のコイル形状を、図８に図７のＡ―Ａ断面図を示す。なお、図６、７に描かれている各パターン曲線（実線）は、図３、４の場合と同様に隣接する銅板等のパターン導体間の絶縁材に相当する。さらにまた、図３〜図４と同じように、Ｘ軸主およびシールド傾斜磁場コイルのパターン導体を接続する個所がn個あり、それぞれの接続個所をＰ1〜Ｐn、接続位置の角度をＹ軸から計ってθ１〜θnとする。Ｘ軸主傾斜磁場コイルの最外周ターンの外径をＲｃ、接続個所Ｐ1〜Ｐnの位置における導体エッジの内径をＲｐとする。本実施例ではＲｃ＋α＞Ｒｐであり、αは、図９に図示したようにＸおよびＹ軸傾斜磁場コイル間の絶縁距離であり、両コイル間にかかる電圧に概比例して、絶縁距離も大きくなる。これにより、Ｘ軸傾斜磁場コイルとＹ軸傾斜磁場コイルのそれぞれの主およびシールド傾斜磁場コイルは、径方向の絶縁距離αを確保し、コイル最外周ターンの外周側で接続することができる。
【００１８】
次に、接続個所Ｐｎに対応するθnの取り得る範囲について説明する。コイルの製作コストを抑えるために、Ｘ軸傾斜磁場コイルとＹ軸傾斜磁場コイルとは同じ形状にすることが望ましい。以下、Ｘ軸傾斜磁場コイルとＹ軸傾斜磁場コイルは同じ形状とする。ＸおよびＹ軸傾斜磁場コイルは高さ方向に概略同位置にあり、同じ形状にすることによって特性上の差は出ないことがわかっている。Ｙ軸傾斜磁場コイルは、Ｘ軸傾斜磁場コイルを９０度回転した状態で積層されている。このため、θnが４５度以上の場合、少なくとも接続個所ＰｎがＸ軸傾斜磁場コイルとＹ軸傾斜磁場コイルで重なり合ってしまう。ここでθnが４５度を越える場合を考えると、Ｘ軸傾斜磁場コイルの接続位置Ｐｎ−ｌｘとＰｎｘ間にＹ軸傾斜磁場コイルの端子Ｐｎｙが、Ｙ軸傾斜磁場コイルの接続位置Ｐｎ−ｌｙとＰｎｙ間にＸ軸傾斜磁場コイルの端子Ｐｎｘが配置されることとなる。Ｘ軸傾斜磁場コイルとＹ軸傾斜磁場コイル間の周方向の絶縁を確保し、Ｘ軸傾斜磁場コイルとＹ軸傾斜磁場コイルを同一形状にするためには、Ｘ軸傾斜磁場コイルとＹ軸傾斜磁場コイルの周方向の絶縁距離に相当する角度をγとすると、θnは45°-γ/2以上、θn−１は45°-3/2γ以下にしなければならず、コイル形状に大きな制限が加えられる。また、コイル間の絶縁が複雑になる。さらには、Ｘ軸傾斜磁場コイルとＹ軸傾斜磁場コイル間には１〜３ｋVの電圧がかかるので、絶縁の確保が極めて困難になる。そこで、本実施例では、θnは45°-γ/2度以下とする。これにより、ＰｎｘとＰｎｙが交錯、干渉することなく、かつ周方向に関する絶縁距離γを確保することができるので、絶縁を確実に行うことができる。また、βを隣り合う端子間の間隔β＝θn−θn−１とすると、γ＞βである。これは、ＰｎとＰｎ-1との間は異種コイル間ではなく、隣り合う同種コイルのターン間のため、βはγより小さくて良い。
【００１９】
次に、図９に、Ｘ軸傾斜磁場コイルとＹ軸傾斜磁場コイルを積層した時のそれぞれの主およびシールド傾斜磁場コイルの断面図を示す。Ｙ軸傾斜磁場コイルを点線で示す。ここで、Ｘ軸傾斜磁場コイルとＹ軸傾斜磁場コイルの積層方向の隙間には、図示せぬ絶縁シートまたは絶縁フィルムが挿入されている。Ｘ軸主およびシールド傾斜磁場コイルの接続は、図９のように、シールド傾斜磁場コイル７のＲ２および接続個所Ｐ1部分の導体を折り曲げ、主傾斜磁場コイルと接続個所Ｐ1にて接続する。なお、Ｙ軸主およびシールド傾斜磁場コイルのパターン導体の接線は、Ｘ軸傾斜磁場コイルの接続個所Ｐ1から、例えば、時計廻りに４５°＋γ／２〜９０°−γ／２の位置で行なわれる。また、図１０のように主およびシールド傾斜磁場コイルの端子それぞれを折り曲げて接続しても良いし、図１１のように別途概コの字に加工した導体をそれぞれの端子に接続しても良い。接続する方法としては、導電性のネジまたはリベッド等で主およびシールド傾斜磁場コイルを締結し、はんだ付けをする。または、ろう付け、スポット溶接でも良い。
【００２０】
また、これら傾斜磁場コイルに通電した場合、上記接続個所Ｐ1〜Ｐｎにおいて熱が発生し、温度上昇が大きいと、繰り返し熱負荷がかかるために、接続部に亀裂が生じ、接続不良となることが考えられる。そこで、この発生した熱を冷却するために、冷却水を流す冷却用パイプ１３を、第３面１０の導体の接続個所Ｐ1〜Ｐｎに近いところに絶縁材を介して接触させる。これにより、接続個所における繰り返し熱負荷による熱疲労などを防ぎ、長期に亘る信頼性を向上させることができる。図９では、冷却用パイプ１３の断面は円形状であるが、四角形状でも良い。また、複数配置しても良い。
【００２１】
上記実施例では、第１面の外径Ｒ１が第２面の外径Ｒ２より大きいが、逆に第１面の外径Ｒ１が第２面の外径Ｒ２より大きくても構わない。また、第１面の外径Ｒ１と第２面の外径Ｒ２が同じでも良く、かつ第１面と第２面の導体をつなぐ導体が面に垂直方向に沿っている場合は、図１２のように、導電性の角材を切断し、接続しても良い。または、銅編み線でも良い。
【実施例２】
【００２２】
実施例２は、最外周コイルパターン外径Ｒｃが接続個所Ｐ1〜Ｐｎの導体エッジ内径Ｒｐより大きい（Ｒｃ＞Ｒｐ）場合のＸおよびＹ軸のそれぞれの主およびシールド傾斜磁場コイルの接続構造に関する。周方向の角度θに関する関係は、上記実施例１と同じである。
【００２３】
本実施例において、Ｙ軸主傾斜磁場コイルの最外周パターン外径Ｒｃｙと、Ｘ軸主傾斜磁場コイルの接続位置Ｒｐｘを考えると、Ｒｃｙ＞Ｒｐｘとなり、Ｙ軸主傾斜磁場コイルのパターンとＸ軸主傾斜磁場コイルが接触してしまう。図１３に、第２の実施例におけるＸ軸主傾斜磁場コイルのパターン、図１４にＹ軸主傾斜磁場コイルのパターンを、図１５に断面図を示す。なお、図１３、１４中に描かれている各パターン曲線（実線）は、図３、４の場合と同様に隣接する銅板等のパターン導体間の絶縁材に相当する。図１５の点線はＹ軸主傾斜磁場コイルを示す。図１３のＸ軸主傾斜磁場コイルのパターンは図１４のＹ軸主傾斜磁場コイルを９０度回転させたものである。上記課題を解決するために、図１４のように、Ｘ軸主傾斜磁場コイル接続個所Ｐ1〜Ｐｎに対応するＹ軸主傾斜磁場コイルのパターン間のスリット幅を拡大し、貫通スリット１２を設ける。この貫通スリット１２の外径Ａ、内径Ｂ、角度θｋ、θｊ、接続個所Ｐ1〜Ｐｎの導体エッジ外径Ｒｑとする。図１４の貫通スリット１２は、径方向に関して、Ａ＞Ｒｑ＋α、Ｂ＜Ｒｑ−α、周方向に関して、θｋ＜９０θn−γ、θｊ＞９０−θ１＋γを満たしている。これにより、接続個所の導体エッジ内径Ｒｐｘがパターン外径Ｒｃｙより小さい場合にも、Ｘ軸主傾斜磁場コイルとＹ軸主傾斜磁場コイル間の絶縁距離をα、γを確保し、図３および図４のようなコイル形状を製作することができる。
【００２４】
なお、Ｘ、Ｙ軸主およびシールド傾斜磁場コイルは、先にも言及したように、その配置をＺ軸を中心に９０度回転するだけで、その形状はほぼ同一に形成される。従って、図１３のＸ軸主傾斜磁場コイルに形成された貫通スリット１２は本実施例では利用されない。Ｘ、Ｙ軸主およびシールド傾斜磁場コイルの上下の位置が本実施例の逆となった場合には、Ｘ軸主傾斜磁場の貫通スリット１２が使われ、Ｙ軸主傾斜磁場コイルの貫通スリット１２が使われないことになる。
【実施例３】
【００２５】
また、上記実施例１，２におけるＭＲＩ装置の静磁場方向は、図１の上下方向、つまり図示せぬ床面に対して垂直方向である。一方、静磁場方向が水平方向のＭＲＩ装置があり、円筒形ＭＲＩ装置と呼ばれている。本発明におけるアクティブシールド型傾斜磁場コイルは、前記円筒形ＭＲＩ装置の傾斜磁場コイルにも適用できる。図１６に円筒形ＭＲＩ装置に本発明のアクティブシールド型円筒形傾斜磁場コイルを適用した場合の図を示す。図１６は、磁場中心０から、＋Ｚ軸側のＹ軸傾斜磁場コイルの主傾斜磁場コイルを示す。図示のように、θnをＸ軸方向から見て４５°−γ／２度以下にすることで、Ｘ軸傾斜磁場コイルとＹ軸傾斜磁場コイルの主およびシールド傾斜磁場コイルの接続個所の交錯、干渉を回避すると共に両コイル間の絶縁距離を同様に確保することができる。
【００２６】
図１７は図１６中の矢印Ａの方向から見たＸ軸主およびシールド傾斜磁場コイルおよびＹ軸主およびシールド傾斜磁場コイルの端部における接続状態を説明する図である。この図ではＺ軸主およびシールド傾斜磁場コイルが配設されている層が図示されていないが、本実施例では図２に示したと同様に、Ｚ軸主およびシールド傾斜磁場コイルはＹ軸主傾斜磁場コイルとＸ軸シールド傾斜磁場コイルの間に配設されている。
【図面の簡単な説明】
【００２７】
【図１】本発明が適用されるＭＲＩ装置の一つである垂直静磁場型ＭＲＩ装置の要部の概略図。
【図２】図１の上側の傾斜磁場コイル２に適用される本発明アクティブシールド型傾斜磁場コイルの一実施例の構成を模式的に示した分解斜視図。
【図３】図２のアクティブシールド型傾斜磁場コイル中のＸ軸主傾斜磁場コイルの左半分のコイル導体パターンを示す斜視図。
【図４】図２のアクティブシールド型傾斜磁場コイル中のＸ軸シールド型傾斜磁場コイルの左半分のコイル導体パターンを示す斜視図。
【図５】図３および４のそれぞれのコイル導体パターンおよびそれぞれに対称な右半分のコイル導体パターンがそれぞれ配設される第１、第２、第３の仮想面を有する仮想楕円錐台。
【図６】図３のＸ軸主傾斜磁場コイルのコイル導体パターンの左半分のさらに具体的な形状を示す平面図。
【図７】図４のＸ軸シールド傾斜磁場コイルのコイル導体パターンの左半分のさらに具体的な形状を示す平面図。
【図８】図７のＡ−Ａ線に沿った断面図。
【図９】本発明アクティブシールド型傾斜磁場コイルの一実施例におけるＸ軸主およびシールド傾斜磁場コイルおよびＹ軸主およびシールド傾斜磁場コイルの積層構造およびＸ軸主およびシールド傾斜磁場コイルの接続構造を示す図８と同じその端部の断面図。
【図１０】ＸあるいはＹ軸主およびシールド傾斜磁場コイルの端部における接続構造の一つの変形例を示す断面図。
【図１１】ＸあるいはＹ軸主およびシールド傾斜磁場コイルの端部における接続構造のもう一つの変形例を示す断面図。
【図１２】ＸあるいはＹ軸主およびシールド傾斜磁場コイルの端部における接続構造のさらにもう一つの変形例を示す断面図。
【図１３】本発明アクティブシールド型傾斜磁場コイルのもう一つの実施例におけるＸ軸主傾斜磁場コイルのコイル導体パターンの１／４の具体的な形状を示す平面図。
【図１４】本発明アクティブシールド型傾斜磁場コイルのもう一つの実施例における図１３のＸ軸主傾斜磁場コイルのコイル導体パターン上に積層されるＹ軸主傾斜磁場コイルのコイル導体パターン１／４の具体的な形状を示す平面図。
【図１５】図１３および１４に示した本発明アクティブシールド型傾斜磁場コイルのもう一つの実施例におけるＸ軸主およびシールド傾斜磁場コイルおよびＹ軸主およびシールド傾斜磁場コイルの積層構造およびＸ軸主およびシールド傾斜磁場コイルの接続構造を示すその端部の断面図。
【図１６】もう一つのＭＲＩ装置である水平磁場型ＭＲＩ装置に本発明アクティブシールド型傾斜磁場コイルのさらにもう一つの実施例を適用した際の様子を模式的に示した斜視図。
【図１７】図１６中の矢印Ａの方向から見たＸ軸主およびシールド傾斜磁場コイルおよびＹ軸主およびシールド傾斜磁場コイルの端部における接続状態を説明する図。
【符号の説明】
【００２８】
１  静磁場発生装置
２  傾斜磁場コイル
３  高周波磁場コイル
４  ベッド
５  均一磁場領域
６  主傾斜磁場コイル
７  シールド傾斜磁場コイル
８  第１面
９  第２面
１０  第３面
１１  配線材
１２  貫通スリット
１３  冷却用パイプ
【図１】
2008093003.tif 000003
【図２】
2008093003.tif 000004
【図３】
2008093003.tif 000005
【図４】
2008093003.tif 000006
【図５】
2008093003.tif 000007
【図６】
2008093003.tif 000008
【図７】
2008093003.tif 000009
【図８】
2008093003.tif 000010
【図９】
2008093003.tif 000011
【図１０】
2008093003.tif 000012
【図１１】
2008093003.tif 000013
【図１２】
2008093003.tif 000014
【図１３】
2008093003.tif 000015
【図１４】
2008093003.tif 000016
【図１５】
2008093003.tif 000017
【図１６】
2008093003.tif 000018
【図１７】
2008093003.tif 000019